(57)【要約】【課題】  パチンコ機のパチンコ機構部を備えた前面枠部と、該前面枠部を支持する機枠とを開閉する役目をなすものであって、部品点数を最小限とし、製造効率を向上させること。【解決手段】  主側板１ａと従側板１ｂとが直角を構成して断面略Ｌ字形となる施錠ベース体１と、前面枠施錠鉤部４と、ガラス枠施錠鉤部６と、前記前面枠施錠鉤部４及びガラス枠施錠鉤部６を回動操作するリンクとからなること。前記施錠ベース体１の主側板１ａには、表面側から突出する台座部２が塑性変形にて形成されること。該台座部２に前記前面枠施錠鉤部４及びガラス枠施錠鉤部６とが揺動自在に枢着されること。【選択図】      図４
2006122477.tif 000002
【特許請求の範囲】
【請求項１】
主側板と従側板とが直角を構成して断面略Ｌ字形となる施錠ベース体と、前面枠施錠鉤部と、ガラス枠施錠鉤部と、前記前面枠施錠鉤部及びガラス枠施錠鉤部を回動操作するリンクとからなり、前記施錠ベース体の主側板には、表面側から突出する台座部が塑性変形にて形成され、該台座部に前記前面枠施錠鉤部及びガラス枠施錠鉤部とが揺動自在に枢着されてなることを特徴とするパチンコ機用枠施錠装置。
【請求項２】
請求項１において、前記台座部は、扁平状の裁頭円錐形状に形成されてなることを特徴とするパチンコ機用枠施錠装置。
【請求項３】
請求項１において、前記台座部は、２本のスリット形状の切除部が形成されるとともに該切除部間の帯板状部分が表面側に突出形成されてなることを特徴とするパチンコ機用枠施錠装置。
【発明の詳細な説明】
【技術分野】
【０００１】
本発明は、パチンコ機のパチンコ機構部を備えた前面枠部と、該前面枠部を支持する機枠とを開閉する役目をなすものであって、部品点数を最小限とし、製造効率を向上させることができるパチンコ機用枠施錠装置に関する。
【背景技術】
【０００２】
パチンコ機において、一般にパチンコ機構部を備えた前面枠と、機枠とを開閉する施錠装置が備わっている。この施錠装置には、１つの錠が備わっており、この錠に専用鍵を差し込みその正逆回転により、ガラス枠のみを開閉したり、前面枠のみを開閉させることができる。このような施錠装置は、特許文献１等に開示されている。
【特許文献１】実公平６−１７４５号
【発明の開示】
【発明が解決しようとする課題】
【０００３】
ところで、このような施錠装置では、保守，管理やその他の必要に応じて前面枠部を機枠から開閉させる場合に、その閉じたときの状態は、前面枠部側のパチンコ機用枠施錠装置に装着された前面枠施錠鉤部と機枠側に装着された被係合部との係合により行なわれる。また、前面枠部を機枠から開くときには、前面枠施錠鉤部が被係合部からはずれることにより行なわれる。また、その前面枠施錠鉤部は、施錠装置の錠及び該錠により作動するリンクを介して揺動動作を行なうようになっている。
【０００４】
このように、前面枠施錠鉤部は、リンクを介して揺動動作を行なうものであり、施錠ベース体には、前面枠施錠鉤部以外にその他の鉤や錠及びリンクがぎっしりと詰め込まれている。この施錠ベース体は、前面枠部に対して装着されるスペースはわずかしか設けられていないことが多い。そのために、前述したように施錠ベース体にぎっしりと詰め込まれたリンク，鉤等の構成部品は、僅かのスペース内で動作しなければならない。
【０００５】
特に、前述したように、揺動又は回転等の動作を行なうリンクや鉤部材等の部品が、施錠ベース体に与えられた僅かのスペースに対して、整然且つ動作を行ない易くし、或いは部品同士が不用意に接触や干渉することなく配置するために、可動部品にワッシャー（座金）やカラー部材等の介在物が多く使用されることになる。ところが、このようにワッシャー（座金）や枕部材等を部品ごとに使用すると部品点数が増加することになり、しかも作業工程が多くなり、これに比例して部品の紛失も多くなるおそれがある。本発明の目的は、部品点数を減少させて、上述した問題点を解決することにある。
【課題を解決するための手段】
【０００６】
そこで、発明者は上記課題を解決すべく、鋭意，研究を重ねた結果、請求項１の発明を、主側板と従側板とが直角を構成して断面略Ｌ字形となる施錠ベース体と、前面枠施錠鉤部と、ガラス枠施錠鉤部と、前記前面枠施錠鉤部及びガラス枠施錠鉤部を回動操作するリンクとからなり、前記施錠ベース体の主側板には、表面側から突出する台座部が塑性変形にて形成され、該台座部に前記前面枠施錠鉤部及びガラス枠施錠鉤部とが揺動自在に枢着されてなるパチンコ機用枠施錠装置としたことにより、上記課題を解決したものである。また、請求項２の発明を、前述の構成において、前記台座部は、扁平状の裁頭円錐形状に形成されてなるパチンコ機用枠施錠装置としたり、請求項３の発明を、前述の構成において、前記台座部は、２本のスリット形状の切除部が形成されるとともに該切除部間の帯板状部分が表面側に突出形成されてなるパチンコ機用枠施錠装置としたことにより、上記課題を解決したものである。
【発明の効果】
【０００７】
請求項１の発明によれば、前記施錠ベース体に、表面側から突出する台座部が塑性変形にて形成され、該台座部に前記前面枠施錠鉤部４及びガラス枠施錠鉤部６とが揺動自在に枢着されるので、座金（ワッシャ），カラー部材等の高さ位置調整のための部品が不要となり、これによって、部品点数を減少させ、製造効率を向上させることができる。また、部品点数が少なくなるので、部品を紛失することも少なくなる。
【０００８】
請求項２の発明によれば、前記台座部は、扁平状の裁頭円錐形状に形成され、簡単なシェル構造を構成することとなり、力学的強度に優れた台座部とすることができる。また、請求項３の発明によれば、２本のスリット形状が形成されることで、その切除部間の帯板状部分の塑性変形が行なわれやすくなる。よって、施錠ベース体の表面側への突出成形が極めて容易にでき、製造効率をより一層向上させることができる。
【発明を実施するための最良の形態】
【０００９】
以下、本発明の実施形態を図面に基づいて説明する。パチンコ機は、図７に示すように、機枠１９の前面に前面枠部２０が開閉自在に装着される。該前面枠部２０の前面にはガラス枠部２３が開閉自在に装着される。前記前面枠部２０の裏面には取付枠２１が固着され、該取付枠２１にパチンコ機構部２２が装着されている。また、前記前面枠部２０の裏面側で、開閉中心と反対側の位置にパチンコ機用枠施錠装置Ａが装着される。
【００１０】
そのパチンコ機用枠施錠装置Ａは、図１，図３等に示すように、施錠ベース体１，前面枠施錠鉤部４，前面枠施錠リンク部５，ガラス枠施錠鉤部６，ガラス枠施錠リンク部７等から構成されたものである。その施錠ベース体１は、板状に形成された主側板１ａと従側板１ｂとから構成されており、前記主側板１ａと従側板１ｂとが略直角を構成している。すなわち、前記施錠ベース体１は、その長手方向に直交する断面形状が前記主側板１ａと従側板１ｂとによって、略「Ｌ」字形状に形成されたものである。
【００１１】
その主側板１ａには、図２に示すように、台座部２が形成されている。この台座部２は、前記施錠ベース体１の主側板１ａに一体的に形成されたものであり、後述する前面枠施錠鉤部４，ガラス枠施錠鉤部６を施錠ベース体１に装着するために、その装着高さ位置を設定する役目をなすものである。すなわち、前記前面枠施錠鉤部４及びガラス枠施錠鉤部６の座金或いはカラー部材等の介在物の役目をなすものである。
【００１２】
この台座部２によって、図１，図３等に示すように、前面枠施錠鉤部４及びガラス枠施錠鉤部６が主側板１ａの表面側から適宜の間隔をおいて離間するようにして回動自在に設置されるとともに、前記前面枠施錠鉤部４及びガラス枠施錠鉤部６を回動操作する前面枠施錠リンク部５及びガラス枠施錠リンク部７の作動スペースを構成するものである。そして、図１に示すように、前面枠施錠鉤部４とガラス枠施錠鉤部６との装着において、台座部２の高さをそれぞれ異なるように形成することにより、前面枠施錠鉤部４とガラス枠施錠鉤部６の主側板１ａからの設置高さを相互に異なるようにすることができ、前面枠施錠リンク部５とガラス枠施錠リンク部７とが上下方向に異なる位置で作動し、相互に干渉しないようにすることができる。
【００１３】
まず、第１実施形態の台座部２は、図２（Ａ）乃至（Ｃ），図４（Ａ）に示すように、前記施錠ベース体１の主側板１ａに対してプレス加工，絞り加工等の塑性変形による加工手段によって形成されるものである。まず台座部２の第１実施形態しては、扁平状の裁頭円錐形状に形成されたものである。具体的には、主側板１ａに対して、その表面側に略膨出形状に形成されている。その台座部２の頂部２ａは平坦状で且つその外周側部２ｂが略円錐形状となっている。このような裁頭円錐形状とした第１実施形態の台座部２は、簡単なシェル構造を構成することとなり、力学的強度に優れたものにできる。
【００１４】
その頂部２ａの中心には、枢支孔２ａ1 が形成され、前面枠施錠鉤部４がピン等の枢支部材１３によって回動自在に装着されている。該枢支部材１３は、前記枢支孔２ａ1 にカシメにより固着される。また、前記枢支部材１３としてリベットが使用されることもある。また、前記施錠ベース体１の主側板１ａにおける表面側とは、前述した前面枠施錠鉤部４，ガラス枠施錠鉤部６，リンク材等が装着される面のことであり、また主側板１ａと従側板１ｂとの隅角側において、となり合う面のことを言う。よって、前記従側板１ｂの表面側においても、前記主側板１ａと隅角側でとなり合う面のことになる。
【００１５】
この台座部２の第２実施形態は、図２（Ａ），（Ｂ）及び（Ｄ），図４（Ｂ）に示すように、主側板１ａに対して一体的に形成されたものであり、プレス加工，絞り加工等の塑性変形による加工手段又は、打ち抜きによる切除部２ｃを形成しつつ、突出部を塑性変形によって形成するものである。具体的には、スリット状或いは線形状とした切除部２ｃが２本形成されており、この２本の切除部２ｃ，２ｃ間には略帯板状部分が形成されることになる。
【００１６】
そして、この帯板状部分がプレス加工によって、台形状又は長方形等の門形状として突出且つ屈曲する台座部２が形成される。台形状の門形状の両側立上り部分を立上り辺２ｄ，２ｄと称する〔図２（Ｄ），図４（Ｂ）参照〕。両立上り辺２ｄ，２ｄは、互いに頂部２ａ側に向かって間隔が小さくなるように傾斜状に形成されている。このように、２本のスリット形状が形成されることで、そのスリット形状の切除部間の帯板状部分では、塑性変形が行なわれやすくなる。よって、台座部２を形成する場合に、前記施錠ベース体１の表面側への突出成形を極めて容易に行なうことができ、製造効率をより一層向上させることができる。
【００１７】
前記２本の切除部２ｃ，２ｃは、略平行に形成される。この第２実施形態の台座部２においても、その頂部２ａは平坦状に形成され、枢支孔２ａ1 が形成されている。前記第１実施形態及び第２実施形態における台座部２の付近には、回動規制部３が形成されており、前面枠施錠鉤部４及びガラス枠施錠鉤部６の回動範囲を規制する役目をなすものである。前記回動規制部３は、主側板１ａ側に切り起こして立ち上がり形成されたり、或いは前記従側板１ｂ側にスリット状の貫通孔として形成されている。前記立ち上がり形成された回動規制部３は、特に前面枠施錠鉤部４に対応するものである〔図３，図６（Ａ）等参照〕。
【００１８】
その貫通孔として形成された回動規制部３では、特にガラス枠施錠鉤部６に対応するものであり、図２（Ｂ），図４（Ｂ）に示すように、スリット状の貫通孔として形成されており、ガラス枠施錠鉤部６の先端がその貫通孔状の回動規制部３から突出するようになっている。そして、ガラス枠施錠鉤部６が回動するときに、貫通孔状の回動規制部３の端部に当接することにより、ガラス枠施錠鉤部６の回動が規制される仕組みとなっている。
【００１９】
上記第１実施形態及び第２実施形態の台座部２において、通常は第２実施形態の台座部２が第１実施形態の台座部２よりも高さ寸法が高く形成されている。また、その台座部２は、施錠ベース体１の長手方向に沿って、適宜の間隔で形成されている。そして、その台座部２に前記前面枠施錠鉤部４及びガラス枠施錠鉤部６が揺動自在に枢支連結されている。さらに具体的には、前記第１実施形態の台座部２には、前面枠施錠鉤部４が枢支連結され、また前記第２実施形態の台座部２には、ガラス枠施錠鉤部６が枢支連結されている。そして、前記台座部２の頂部２ａに前面枠施錠鉤部４がリベット，ピン等の枢支部材１３により、枢支連結され前記枢支部材１３を揺動中心として揺動するものである。
【００２０】
前記前面枠施錠鉤部４には前面枠施錠リンク部５により回動動作が伝達される。また、前記ガラス枠施錠鉤部６はガラス枠施錠リンク部７により回動動作が伝達される。図５は、ガラス枠施錠リンク部７を省略し、前面枠施錠リンク部５の配置が分かりやすいようにした図面である。また、図６は、前面枠施錠リンク部５上にガラス枠施錠リンク部７が配置された状態を示す図面である。その前面枠施錠鉤部４と前記ラック８との間には、前面枠施錠リンク部５が連結され、前記ラック８の往復の摺動動作に伴って、前記前面枠施錠鉤部４が揺動動作する。その前面枠施錠リンク部５は、前記ラック８を中心として、２つ存在している。その２つの前面枠施錠リンク部５，５は、図５（Ｂ）に示すように、長手方向の長さが異なっている。これは、図５（Ａ）に示すように、ラック８の装着位置が施錠ベース体１の長手方向の中央よりもいずれか一方側の端部寄りに位置しているからである。
【００２１】
また、２つの前面枠施錠リンク部５，５のうち、図５（Ａ）に示すように、長手方向に長い前面枠施錠リンク部５は、複数のリンク材５ａ，５ａ，…が直列状に連結されて構成されたものであり、具体的には、２本のリンク材５ａ，５ａからなる２部材構成としている。これらリンク材５ａ，５ａは、その一方側のリンク材５ａにピン９が固着され、他方側のリンク材５ａに連結孔５ａ1 が形成されて、前記ピン９と連結孔５ａ1 により連結されるものであり、その連結孔５ａ1 は長孔状に形成されており、該連結孔５ａ1 内を前記ピン９が摺動自在となっている。
【００２２】
また、長手方向に短い前面枠施錠リンク部５は、図５（Ａ），（Ｂ）に示すように、一つのリンク材５ａのみで構成され、前記ラック８にピン９により連結されている。前記一つのリンク材５ａとラック８との連結が行なわれる箇所にも長孔状の連結孔５ａ1 が形成され、前記ピン９が摺動可能となっている。また、前面枠施錠リンク部５には、前記前面枠施錠鉤部４が起立している状態を維持する方向に付勢するようにスプリング材１４が２つ前面枠施錠リンク部５，５と施錠ベース体１との間に掛け渡される。また、前記スプリング材１４は前面枠施錠鉤部４と施錠ベース体１との間に掛け渡されることもある。そして、このピン連結箇所における長孔状の連結孔５ａ1 によって、隣接するリンク材５ａ，５ａ同士は、前面枠施錠リンク部５，５が開錠される方向とは反対側に移動するときには、そのラック８の往復動作が前記前面枠施錠鉤部４と直接連結しているリンク材５ａにまでは伝達されないようになっている。
【００２３】
さらに、前記主側板１ａには、その長手方向の両側箇所に２つのガラス枠施錠鉤部６，６が揺動自在となるようにリベット，ピン等の枢支部材１３により、枢支連結され、そのガラス枠施錠鉤部６は前記枢支部材１３を揺動中心として揺動するものである。さらに、そのガラス枠施錠鉤部６，６を揺動させるガラス枠施錠リンク部７がラック８との間にピン９，９を介して連結されている。さらに具体的には、前記２つのガラス枠施錠鉤部６，６は、前記ラック８の装着位置の一方側に適宜の間隔をおいて装着され、前記ガラス枠施錠リンク部７は、前記ラック８の長手方向の一端側，すなわち両ガラス枠施錠鉤部６，６が位置している側にピン９を介して枢支連結されている。
【００２４】
そして、前記ガラス枠施錠リンク部７も前記前面枠施錠リンク部５と同様に、複数のリンク材７ａ，７ａ，…から構成されており、その複数のリンク材７ａ，７ａ，…が前記ピン９により連結されている。このリンク材７ａ，７ａ，…の連結孔７ａ1 も前記連結孔５ａ1 と同様に長孔状に形成されている。そして、リンク材７ａ，７ａ同士のピン連結箇所における連結孔７ａ1 により、隣接するリンク材７ａ，７ａ同士は、ガラス枠施錠鉤部６，６が開錠される方向とは反対側に移動するときには、そのラック８の往復動作がリンク材７ａ，７ａ，…に伝達されないようになっている。また、ガラス枠施錠リンク部７は、２つのガラス枠施錠鉤部６，６をリンク材７ａにて連結するものであるが、その両ガラス枠施錠鉤部６，６との間には２本のリンク材７ａ，７ａがピン連結されている。
【００２５】
そして、両リンク材７ａ，７ａは、長孔状の連結孔７ａ1 とピン９により連結されている。そして、一方のガラス枠施錠鉤部６が鍵を使用しないで、不正な手段により強制的に開かれたとしても、前記リンク材７ａが隣接する他方側のリンク材７ａに動作を伝達せず、よって他方側のガラス枠施錠鉤部６を揺動させない仕組みとなっている。これによって、２つのガラス枠施錠鉤部６，６の一方が不正に開かれても、他方のガラス枠施錠鉤部６はロック状態を維持し、ガラス枠部２３が不正に開かれないようにしている。なお前記両ガラス枠施錠鉤部６，６は、ロック状態である直立状態を維持する方向に付勢するスプリング材１４，１４が施錠ベース体１との間に掛け渡されている。
【００２６】
施錠ベース体１には、ラック８が摺動自在に装着され、該ラック８を摺動させるピニオンを装着した錠１０が設けられている。さらに、前記主側板１ａには、後述する押え部１ｃが形成され、該押え部１ｃにより前記ラック８が主側板１ａ面上を所定の範囲において往復摺動自在となっている。その押え部１ｃは、施錠ベース体１に一体的に形成されるものであって、切り起こしによる折曲加工にて形成される。
【００２７】
このような構成によって、前記錠１０に挿入した鍵を１方向に回転させることで、鍵が錠軸１０ｃに回転を伝達し、その錠軸１０ｃに装着されたピニオン１１が回転して、ラック８を長手方向の一方側に沿って移動させ、前面枠施錠リンク部５を介して前面枠施錠鉤部４に揺動動作を伝達し、また前記鍵を前述とは反対方向に回転させることにより、ガラス枠施錠リンク部７を介して前記ガラス枠施錠鉤部６が揺動動作を行なうものである。また、前記鍵の正逆両回転で、前記前面枠施錠リンク部５及びガラス枠施錠リンク部７はそれぞれに形成された長孔状の連結孔５ａ1 及び連結孔７ａ1 によって、前面枠施錠鉤部４とガラス枠施錠鉤部６とが同時に揺動することがないように、それぞれの動作を制御することができる。
【００２８】
前記施錠ベース体１の従側板１ｂには、錠取付貫通部１ｅが形成されている。該錠取付貫通部１ｅは、前記主側板１ａのラック８装着位置に対応する位置に形成されたものである。その錠取付貫通部１ｅは、後述する錠１０の錠本体部１０ａが挿入されるものであって、錠本体部１０ａの断面形状に対応する形状となっている。すなわち、錠取付貫通部１ｅは、錠本体部１０ａの断面形状と特に同一とする必要はないが、前記錠本体部１０ａが挿入されたときに、適正な装着ができるように案内可能なものとしたものである。よって、錠取付貫通部１ｅの形状は、錠本体部１０ａと部分的に同一部分が存在するように形成されたものである。
【００２９】
前記錠取付貫通部１ｅの付近には、前記フランジ部１０ｂの取付孔に対応する位置に複数の螺子孔１ｄ，１ｄが形成されている。また、前記従側板１ｂには、前記ガラス枠施錠鉤部６の先端が挿通且つ突出するように鉤用貫通孔が形成されている。前記錠１０の施錠ベース体１からの取り外しは、前記従側板１ｂの錠取付貫通部１ｅから主側板１ａ側に沿って引き出すことにより行なわれるものである。また、前記錠１０の施錠ベース体１への取付は、前記錠１０のフランジ部１０ｂが前記錠取付貫通部１ｅの周囲に当接されてビス等の固着具にて固着されるものである。
【００３０】
そのラック８は、図５（Ａ）に示すように、ラック歯部８ａの周囲に枠状部８ｂが形成されている。その枠状部８ｂは、略長方形状の枠体に形成されたものである。またラック歯部８ａは、前記枠状部８ｂと長手方向の両端箇所にて連結するように連続形成されたものであり、そのラック歯部８ａと枠状部８ｂの幅方向両側には、筋状の隙間部が形成される。そして、そのラック８は、前述したように、前記施錠ベース体１の主側板１ａ側に配置され、前記押え部１ｃにより摺動自在に装着されたものである。
【００３１】
このラック８の施錠ベース体１への装着は、図４又は図６等に示すように、その枠状部８ｂが前記押え部１ｃ，１ｃにより主側板１ａに押さえられる構成となっている。このとき、前記ラック８は、長手方向に沿って往復摺動が滑らかに行なわれるように設置される。また、ラック８が施錠ベース体１から脱落しないように、ラック８の押え部１ｃ，１ｃによる支持とともに、施錠ベース体１の従側板１ｂ側によって、そのラック８の幅方向における支持がなされている（図４参照）。また、前記ラック８と前記前面枠施錠リンク部５及びガラス枠施錠リンク部７等との連結部位は、枠状部８ｂ側で行なわれる。具体的には、その枠状部８ｂの長手方向の両側端に、図５（Ａ），（Ｂ）に示すように、連結孔８ｄ，８ｄが形成され、該連結孔８ｄ，８ｄ箇所にて、前面枠施錠リンク部５のリンク材５ａ及びガラス枠施錠リンク部７のリンク材７ａとピン９を介して枢支連結されるものである。
【００３２】
また、前記ラック８の構成としては、前述のような前記ラック歯部８ａと枠状部８ｂとから構成されるタイプ以外に、略ラック歯部８ａのみから形成されるタイプも存在する。このタイプでは、前記ラック歯部８ａの長手方向の両側箇所に前面枠施錠リンク部５のリンク材５ａと、前記ガラス枠施錠リンク部７のリンク材７ａとの枢支連結部が形成されることになる。
【００３３】
次に、前記錠１０は、図６に示すように、錠本体部１０ａとフランジ部１０ｂから構成されており、前記錠本体部１０ａには錠軸１０ｃが装着され、該錠軸１０ｃが鍵の操作により回動する。そして、その錠軸１０ｃは錠本体部１０ａの外部に突出し、その突出した錠軸１０ｃ先端にピニオン１１が装着されビス，ボルト等により固定されている。そのピニオン１１は前記ラック８と噛み合うように設定され、前記錠軸１０ｃの回動とともに前記ピニオン１１が回動し、前記ラック８が往復摺動を行なうことができる。
【００３４】
そのパチンコ機用枠施錠装置Ａにおける施錠ベース体１の従側板１ｂが前記前面枠部２０に装着される。前面枠部２０には、前記錠１０の錠本体部１０ａが挿入する錠収納孔２０ａが形成され、その錠収納孔２０ａに収納された錠１０は、前記前面枠部２０の外部，すなわちガラス枠側から前記錠本体部１０ａに設けられた鍵穴が露出するようになっている。そして、作業員はその鍵穴から鍵操作を行い、ガラス枠部２３を開閉することができるようになっている。
【図面の簡単な説明】
【００３５】
【図１】（Ａ）はパチンコ機用枠施錠装置の正面図、（Ｂ）は（Ａ）の左側要部拡大図、（Ｃ）は（Ａ）の長手方向の中央箇所拡大図、（Ｄ）は（Ａ）の長手方向の右側要部拡大図である。
【図２】（Ａ）は施錠ベース体の長手方向の左側拡大平面図、（Ｂ）は（Ａ）の拡大正面図、（Ｃ）は（Ａ）のＸ1 ─Ｘ1 矢視断面図、（Ｄ）は（Ａ）のＸ2 ─Ｘ2 矢視断面図である。
【図３】パチンコ機用枠施錠装置の要部拡大斜視図である。
【図４】（Ａ）は前面枠施錠鉤部と施錠ベース体の要部の分解斜視図、（Ｂ）はガラス枠施錠鉤部と施錠ベース体の要部の分解斜視図である。
【図５】（Ａ）はパチンコ機用枠施錠装置のガラス枠施錠鉤部及びガラス枠施錠リンク部を省略した平面図、（Ｂ）は（Ａ）の長手方向の左側拡大平面図、（Ｃ）は（Ａ）の長手方向の右側拡大平面図である。
【図６】（Ａ）はパチンコ機用枠施錠装置の長手方向の左側拡大平面図、（Ｂ）はパチンコ機用枠施錠装置の長手方向の右側拡大平面図である。
【図７】本発明のパチンコ機用枠施錠装置を装着したパチンコ機における前面枠及びガラス枠をそれぞれ開いた状態の斜視図である。
【符号の説明】
【００３６】
１…施錠ベース体、１ａ…主側板、１ｂ…従側板、２…台座部、２ｃ…切除部、
４…前面枠施錠鉤部、６…ガラス枠施錠鉤部。
【図１】
2006122477.tif 000003
【図２】
2006122477.tif 000004
【図３】
2006122477.tif 000005
【図４】
2006122477.tif 000006
【図５】
2006122477.tif 000007
【図６】
2006122477.tif 000008
【図７】
2006122477.tif 000009
【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
主側板と従側板とが直角を構成して断面略Ｌ字形となる施錠ベース体と、前面枠施錠鉤部と、ガラス枠施錠鉤部と、前記前面枠施錠鉤部及びガラス枠施錠鉤部を回動操作するリンクとからなり、前記施錠ベース体の主側板には、表面側から突出する台座部が塑性変形にて形成され、該台座部に前記前面枠施錠鉤部及びガラス枠施錠鉤部とが揺動自在に枢着されてなり、前記台座部は、前記主側板の表面側に扁平状の裁頭円錐形状に膨出形成されると共に頂部は平坦状としてなることを特徴とするパチンコ機用枠施錠装置。
【請求項２】
主側板と従側板とが直角を構成して断面略Ｌ字形となる施錠ベース体と、前面枠施錠鉤部と、ガラス枠施錠鉤部と、前記前面枠施錠鉤部及びガラス枠施錠鉤部を回動操作するリンクとからなり、前記施錠ベース体の主側板には、表面側から突出する台座部が塑性変形にて形成され、該台座部に前記前面枠施錠鉤部及びガラス枠施錠鉤部とが揺動自在に枢着されてなり、前記台座部は、２本の略平行なスリット形状の切除部が形成されるとともに該切除部間の帯板状部分が表面側に突出形成されてなることを特徴とするパチンコ機用枠施錠装置。
【手続補正２】
【補正対象書類名】明細書
【補正対象項目名】０００６
【補正方法】変更
【補正の内容】
【０００６】
そこで、発明者は上記課題を解決すべく、鋭意，研究を重ねた結果、請求項１の発明を、主側板と従側板とが直角を構成して断面略Ｌ字形となる施錠ベース体と、前面枠施錠鉤部と、ガラス枠施錠鉤部と、前記前面枠施錠鉤部及びガラス枠施錠鉤部を回動操作するリンクとからなり、前記施錠ベース体の主側板には、表面側から突出する台座部が塑性変形にて形成され、該台座部に前記前面枠施錠鉤部及びガラス枠施錠鉤部とが揺動自在に枢着されてなり、前記台座部は、前記主側板の表面側に扁平状の裁頭円錐形状に膨出形成されると共に頂部は平坦状としてなるパチンコ機用枠施錠装置としたことにより、上記課題を解決したものである。また、請求項２の発明を主側板と従側板とが直角を構成して断面略Ｌ字形となる施錠ベース体と、前面枠施錠鉤部と、ガラス枠施錠鉤部と、前記前面枠施錠鉤部及びガラス枠施錠鉤部を回動操作するリンクとからなり、前記施錠ベース体の主側板には、表面側から突出する台座部が塑性変形にて形成され、該台座部に前記前面枠施錠鉤部及びガラス枠施錠鉤部とが揺動自在に枢着されてなり、前記台座部は、２本の略平行なスリット形状の切除部が形成されるとともに該切除部間の帯板状部分が表面側に突出形成されてなるパチンコ機用枠施錠装置としたことにより、上記課題を解決したものである。
【手続補正３】
【補正対象書類名】明細書
【補正対象項目名】０００７
【補正方法】変更
【補正の内容】
【０００７】
請求項１の発明によれば、前記施錠ベース体に、表面側から突出する台座部が塑性変形にて形成され、該台座部に前記前面枠施錠鉤部４及びガラス枠施錠鉤部６とが揺動自在に枢着されるので、座金（ワッシャ），カラー部材等の高さ位置調整のための部品が不要となり、これによって、部品点数を減少させ、製造効率を向上させることができる。また、部品点数が少なくなるので、部品を紛失することも少なくなる。また、前記台座部は、扁平状の裁頭円錐形状に形成され、簡単なシェル構造を構成することとなり、力学的強度に優れた台座部とすることができる。
【手続補正４】
【補正対象書類名】明細書
【補正対象項目名】０００８
【補正方法】変更
【補正の内容】
【０００８】
また、請求項２の発明によれば、２本のスリット形状が形成されることで、その切除部間の帯板状部分の塑性変形が行なわれやすくなる。よって、施錠ベース体の表面側への突出成形が極めて容易にでき、製造効率をより一層向上させることができる。